(57)【要約】【課題】ユーザによるパスワード入力が不要であり、セキュリティの解除キーとなるデータが自動的に更新され、特別な装置を必要としない、所定フォルダへのアクセス制限を実行するコンピュータのセキュリティシステム及びセキュリティプログラムを提供することにある。【解決手段】携帯電話機２とコンピュータ１９とを備えるセキュリティシステム１は、携帯電話機２とコンピュータ１９が接続されると、携帯電話機２から所定のデータがコンピュータ１９に出力される。該データは電話番号、電子メールの送受信データを含み、これらがコンピュータ１９に予め記憶されているデータと比較され、電話番号が一致し、電子メールの送受信データが９０％以上一致し、１週間以内に携帯電話機２とコンピュータ１９が接続された場合に、コンピュータ１９に記憶されているデータを更新し、アクセス制限を解除する。【選択図】      図２
2006135537.tif 000002
【特許請求の範囲】
【請求項１】
第１通信手段と、
所定のデータを記憶する第１記憶手段と、
前記第１通信手段を介して前記第１記憶手段に記憶された所定のデータを送受信させ、さらに、前記所定のデータの送信時に於ける日時に関するデータを送信させる第１制御手段と、を有する携帯電話機と、
前記第１通信手段と通信可能な第２通信手段と、
タイマカウンタと、
前記第１通信手段を介して送信された前記第１記憶手段に記憶された所定のデータを記憶し、さらに、前記日時に関するデータを記憶する第２記憶手段と、
前記第２記憶手段に記憶された所定のデータと前記第１手段を介して新たに送信された前記第１記憶手段に記憶された所定のデータとを比較し、所定の割合以上一致する場合、前記第１通信手段によって新たに送信された前記日時に関するデータと、前記第２記憶手段に記憶されている前記日時に関するデータとを比較して、両データの日時の差が所定時間内であれば、前記第２記憶手段に記憶された所定のデータを更新して、所定のフォルダへのアクセスを可能とし、さらに、前記第１通信手段と前記第２通信手段との通信が解除された場合、前記タイマカウンタを制御して所定時間を計測させ、前記所定時間経過後に再び所定のフォルダへのアクセスを制限させる第２制御手段と、を有するコンピュータと、
前記第１乃至第２通信手段とを接続するデータケーブルと、を備えることを特徴とするセキュリティシステム。
【請求項２】
第１通信手段と、所定のデータを記憶する第１記憶手段と、前記第１通信手段を介して前記第１記憶手段に記憶された所定のデータを送受信させる第１制御手段と、を有する携帯電話機と、
前記第１通信手段と通信可能な第２通信手段と、前記第１通信手段を介して送信された前記第１記憶手段に記憶された所定のデータを記憶し、所定のフォルダを記憶している第２記憶手段と、前記第２記憶手段に記憶された所定のデータと前記第１通信手段を介して新たに送信された前記第１記憶手段に記憶された所定のデータとを比較し、所定の割合以上一致した場合に前記第２記憶手段に記憶された所定のデータを更新して、所定のフォルダへのアクセスを可能とする第２制御手段と、を有するコンピュータと、を備えることを特徴とするセキュリティシステム。
【請求項３】
前記第１制御手段は、前記第１通信手段を介して前記第１記憶手段に記憶された所定のデータを送信させる際に、さらに、所定のデータの送信時に於ける日時に関するデータを送信させ、
前記２記憶手段は、さらに、前記日時に関するデータを記憶し、
前記第２制御手段は、さらに、前記第１通信手段によって新たに送信された前記日時に関するデータと、前記第２記憶手段に記憶されている前記日時に関するデータとを比較し、両データの日時の差が所定時間内でなければ所定のフォルダへのアクセスを許可しないことを特徴とする、請求項２に記載のセキュリティシステム。
【請求項４】
前記コンピュータは、さらにタイマカウンタを備えており、
前記第２制御部は、前記第１通信手段と前記第２通信手段との通信が解除された場合に、前記タイマカウンタを制御して所定時間を計測させ、前記所定時間経過後に再び所定のフォルダへのアクセスを制限させることを特徴とする、請求項２乃至３の何れか一つに記載のセキュリティシステム。
【請求項５】
前記セキュリティシステムは、さらに、第１データケーブルを備えており、
前記第１通信手段と前記第２通信手段とは、前記第１データケーブルによって接続されることを特徴とする、請求項２乃至４の何れか一つに記載のセキュリティシステム。
【請求項６】
前記セキュリティシステムは、さらに、前記携帯電話機を充電可能な充電装置と、第２データケーブルとを備えており、
前記充電装置は、前記第１乃至第２通信手段と通信可能な第３通信手段であって、前記第２通信手段と前記第２データケーブルを介して接続される第３通信手段と、前記第１通信手段によって出力された前記第１記憶手段に記憶された前記所定のデータを、前記第３通信手段によって前記第２通信手段に出力する第３制御手段と、を備えることを特徴とする、請求項２乃至４の何れか一つに記載のセキュリティシステム。
【請求項７】
前記第１通信手段は赤外線発光部であり、
前記第２通信手段は赤外線受光部であることを特徴とする、請求項２乃至４の何れか一つに記載のセキュリティシステム。
【請求項８】
前記第１乃至第２通信手段は、Bluetoothモジュールであることを特徴とする、請求項
２乃至４の何れか一つに記載のセキュリティシステム。
【請求項９】
第１通信手段と、所定のデータを記憶する第１記憶手段と、前記第１通信手段を介して前記第１記憶手段に記憶された所定のデータを送受信させる第１制御手段と、を有する携帯電話機から、前記所定のデータを受け付ける装置としてコンピュータを機能させるセキュリティプログラムであって、前記第１通信手段と通信可能な第２通信手段と、前記第１通信手段を介して送信された前記第１記憶手段に記憶された所定のデータを記憶する第２記憶手段と、前記第２記憶手段に記憶された所定のデータと前記第１通信手段を介して新たに送信された前記第１記憶手段に記憶された所定のデータとを比較し、所定の割合以上一致する場合に前記第２記憶手段に記憶された所定のデータを更新して、所定のフォルダへのアクセスを可能とする第２制御手段として、コンピュータを機能させることを特徴とするセキュリティプログラム。
【発明の詳細な説明】
【技術分野】
【０００１】
本発明は、セキュリティシステム及びセキュリティプログラムに関し、特に、携帯電話機を使用してユーザを判別するコンピュータのセキュリティシステム及びセキュリティプログラムに関する。
【背景技術】
【０００２】
コンピュータの普及に伴い、これまで書類に記録保存されていた情報が電子データとして記録保存されるようになっている。電子データとして記録保存された情報には、個人のプライバシーに関する情報やクレジットカードの番号等、極めて重要な情報も含まれている。こうした重要な情報を記録するコンピュータがオフィスから一般家庭に至るまで、様々な場面で使用されているにも関わらず、コンピュータのセキュリティ面は必ずしも重要視されていなかった。近年、コンピュータに記録保存された情報の盗難・漏洩等の問題が増加しており、コンピュータのセキュリティシステム向上が求められるようになった。
【０００３】
これまでに、コンピュータのセキュリティシステムに関する様々な発明が提案されている。例えば、特許文献１には携帯電話機を使用したコンピュータのセキュリティシステムについて記載されている。このセキュリティシステムでは、例えば電話番号等、携帯電話機に固有の数値データをコンピュータの記憶装置に記憶させておき、携帯電話機がコンピュータに接続された際に、携帯電話機の固有の数値データが記憶装置に記憶された固有の数値データと一致するか否かを判別する。そして、該固有の数値データが一致しなければコンピュータが作動可能な状態に移行しない。
【０００４】
また、特許文献２には、Bluetooth対応の通信モジュールを各々備えた携帯情報機器と
コンピュータを使用したセキュリティシステムについて記載されている。このセキュリティシステムでは、予め登録された携帯情報機器がコンピュータと無線通信可能な所定の圏内に位置し、正しいパスワードが入力されると、コンピュータがＯＳを起動する。
【０００５】
また、特許文献３には、携帯電話機を使用したネットワークログインシステムについて記載されている。このネットワークログインシステムでは、ログイン時の暗証番号等が記録されたＩＣカードを携帯電話機に装着し、該携帯電話機をコンピュータのキーボードに設けられた端子部に接続することによって、携帯電話機からネットワークへのログインを許可する信号がコンピュータに送信されてネットワークへの接続が可能となる。
【特許文献１】特開２００４−１６４０９３号公報（第３−４頁、第２図）
【特許文献２】ＷＯ２００２／０４２８９０号公報（第４−７頁、第２図）
【特許文献３】特開２００２−１７５２８１号公報（第３頁、第１図）
【発明の開示】
【発明が解決しようとする課題】
【０００６】
ところで、コンピュータのセキュリティシステムは、大別すると、コンピュータの起動時（ＯＳ起動時）に於いてユーザのアクセス制限を実行するセキュリティシステムと、ＯＳ起動後に所定フォルダへのアクセス制限を実行するセキュリティシステムの２種類に分けることが出来る。上述の特許文献１乃至３に記載の発明は、前者のセキュリティシステムを想定するものであり、後者のセキュリティシステムを想定していない。            
【０００７】
また、これらの発明を後者のセキュリティシステムに適用した場合、特許文献１に記載のコンピュータのセキュリティシステムでは、例えば電話番号等、頻繁にデータ更新を行わない固有の数値データを使用するので、一旦数値データが盗難されると、セキュリティが非常に脆弱となる。また、特許文献２に記載のセキュリティシステムでは、パスワード
を入力しなければならないので、ユーザにとって煩わしい作業が必要となる。そして、特許文献３に記載のネットワークログインシステムでは、携帯電話機に装着するＩＣカードを新たに製造する必要があり、また、携帯電話機を接続するための端子をキーボードに設置することも必要となる。したがって、製造コストが嵩むだけでなく、製造工程が煩雑になる虞がある。
【０００８】
したがって、本発明の目的は、ユーザによるパスワード入力が不要であり、セキュリティの解除キーとなるデータが自動的に更新され、特別な装置を必要としない、所定フォルダへのアクセス制限を実行するコンピュータのセキュリティシステム及びセキュリティプログラムを提供することにある。
【課題を解決するための手段】
【０００９】
第１発明に係るセキュリティシステムは、第１通信手段と、所定のデータを記憶する第１記憶手段と、第１通信手段を介して第１記憶手段に記憶された所定のデータを送受信させ、さらに、所定のデータの送信時に於ける日時に関するデータを送信させる第１制御手段と、を有する携帯電話機と、第１通信手段と通信可能な第２通信手段と、タイマカウンタと、第１通信手段を介して送信された第１記憶手段に記憶された所定のデータを記憶し、さらに、日時に関するデータを記憶する第２記憶手段と、第２記憶手段に記憶された所定のデータと第１手段を介して新たに送信された第１記憶手段に記憶された所定のデータとを比較し、所定の割合以上一致する場合、第１通信手段によって新たに送信された日時に関するデータと、第２記憶手段に記憶されている日時に関するデータとを比較して、両データの日時の差が所定時間内であれば、第２記憶手段に記憶された所定のデータを更新して、所定のフォルダへのアクセスを可能とし、さらに、第１通信手段と第２通信手段との通信が解除された場合、タイマカウンタを制御して所定時間を計測させ、所定時間経過後に再び所定のフォルダへのアクセスを制限させる第２制御手段と、を有するコンピュータと、第１乃至第２通信手段とを接続するデータケーブルと、を備えることを特徴とする。
【００１０】
このセキュリティシステムによれば、携帯電話機と、コンピュータと、データケーブルによって構成されているので、特別な装置を新たに追加することなく、所定のフォルダへのアクセス制限を実行するセキュリティシステムを提供することが出来る。
【００１１】
また、このセキュリティシステムによれば、コンピュータに備えられた第２記憶手段に記憶された所定のデータと、携帯電話機から新たにコンピュータに出力された所定のデータが比較され、これらのデータが所定の割合で一致した場合に、第２記憶手段に記憶された所定のデータが更新される。したがって、ユーザによるパスワード入力を実行することなく、アクセス制限を解除するための解除キーの役割を果たす所定のデータを自動更新することが出来るので、ユーザにとって利便性が高いだけでなく、より強固なセキュリティを実現することが出来る。
【００１２】
また、このセキュリティシステムによれば、携帯電話機とコンピュータが接続され、携帯電話機からコンピュータに所定のデータが送信された前回の日時と今回の日時を比較し、例えば前回と今回のデータ送信時の時間差が１週間内でなければセキュリティフォルダへのアクセスを許可しない。したがって、定期的に携帯電話機とコンピュータが接続され、携帯電話機からコンピュータに所定のデータを送信しなければならないので、アクセス制限を解除するための解除キーの役割を果たす所定のデータを定期的に更新することができ、セキュリティを強固にすることが出来る。
【００１３】
また、このセキュリティシステムによれば、一旦、携帯電話機とコンピュータが接続されて、所定のフォルダへのアクセスが可能となった状況に於いても、携帯電話機とコンピュータとの接続が解除されると、所定時間経過後に所定のフォルダへのアクセスを制限することが出来るので、携帯電話機とコンピュータとの接続解除後に於ける他のユーザによる所定のフォルダへのアクセスを制限することが出来る。
【００１４】
第２発明に係るセキュリティシステムは、第１通信手段と、所定のデータを記憶する第１記憶手段と、第１通信手段を介して第１記憶手段に記憶された所定のデータを送受信させる第１制御手段と、を有する携帯電話機と、第１通信手段と通信可能な第２通信手段と、第１通信手段を介して送信された第１記憶手段に記憶された所定のデータを記憶し、所定のフォルダを記憶している第２記憶手段と、第２記憶手段に記憶された所定のデータと第１通信手段を介して新たに送信された第１記憶手段に記憶された所定のデータとを比較し、所定の割合以上一致した場合に第２記憶手段に記憶された所定のデータを更新して、所定のフォルダへのアクセスを可能とする第２制御手段と、を有するコンピュータと、を備えることを特徴とする。
【００１５】
このセキュリティシステムによれば、携帯電話機とコンピュータによって構成されているので、特別な装置を新たに追加することなく、所定のフォルダへのアクセス制限を実行するセキュリティシステムを提供することが出来る。また、このセキュリティシステムによれば、コンピュータに備えられた第２記憶手段に記憶された所定のデータと、携帯電話機から新たにコンピュータに出力された所定のデータが比較され、これらのデータが所定の割合で一致した場合に、第２記憶手段に記憶された所定のデータが更新される。したがって、ユーザによるパスワード入力を実行することなく、アクセス制限を解除するための解除キーの役割を果たす所定のデータを自動更新することが出来るので、ユーザにとって利便性が高いだけでなく、より強固なセキュリティを実現することが出来る。
【００１６】
第３発明に係るセキュリティシステムは、第２発明に係るセキュリティシステムに於いて、第１制御手段は、第１通信手段を介して第１記憶手段に記憶された所定のデータを送信させる際に、さらに、所定のデータの送信時に於ける日時に関するデータを送信させ、第２記憶手段は、さらに、前記日時に関するデータを記憶し、第２制御手段は、さらに、第１通信手段によって新たに送信された日時に関するデータと、第２記憶手段に記憶されている日時に関するデータとを比較し、両データの日時の差が所定時間内でなければ所定のフォルダへのアクセスを許可しないことを特徴とする。
【００１７】
このセキュリティシステムによれば、携帯電話機とコンピュータが接続され、携帯電話機からコンピュータに所定のデータが送信された前回の日時と今回の日時を比較し、例えば前回と今回のデータ送信時の時間差が１週間内でなければセキュリティフォルダへのアクセスを許可しない。したがって、定期的に携帯電話機とコンピュータが接続され、携帯電話機からコンピュータに所定のデータを送信しなければならないので、アクセス制限を解除するための解除キーの役割を果たす所定のデータを定期的に更新することができ、セキュリティを強固にすることが出来る。
【００１８】
第４発明に係るセキュリティシステムは、第２乃至第３発明に係るセキュリティシステムに於いて、コンピュータは、さらにタイマカウンタを備えており、第２制御部は、第１通信手段と第２通信手段との通信が解除された場合に、タイマカウンタを制御して所定時間を計測させ、所定時間経過後に再び所定のフォルダへのアクセスを制限させることを特徴とする。
【００１９】
このセキュリティシステムによれば、一旦、携帯電話機とコンピュータが接続されて、所定のフォルダへのアクセスが可能となった状況に於いても、携帯電話機とコンピュータとの接続が解除されると、所定時間経過後に所定のフォルダへのアクセスを制限することが出来るので、携帯電話機とコンピュータとの接続解除後に於ける他のユーザによる所定のフォルダへのアクセスを制限することが出来る。
【００２０】
第５発明に係るセキュリティシステムは、第２乃至第４発明に係るセキュリティシステムに於いて、さらに、第１データケーブルを備えており、第１通信手段と第２通信手段とは、第１データケーブルによって接続されることを特徴とする。
【００２１】
このセキュリティシステムによれば、携帯電話機とコンピュータが第１データケーブル
によって接続されることによって、携帯電話機からコンピュータに所定のデータを送信することが出来るので、特別な装置等を追加することなく、セキュリティシステムを実現することが出来る。
【００２２】
第６発明に係るセキュリティシステムは、第２乃至第４発明の何れか一つに係るセキュリティシステムに於いて、さらに、携帯電話機を充電可能な充電装置と、第２データケーブルとを備えており、充電装置は、第１乃至第２通信手段と通信可能な第３通信手段であって、第２通信手段と第２データケーブルを介して接続される第３通信手段と、第１通信手段によって出力された第１記憶手段に記憶された所定のデータを、第３通信手段によって第２通信手段に出力する第３制御手段と、を備えることを特徴とする。
【００２３】
このセキュリティシステムによれば、充電装置とコンピュータとが第２データケーブルによって接続されており、携帯電話機を充電装置に装着した場合、携帯電話機とコンピュータの通信、及び、携帯電話機の充電という、２つの機能を同時に実現することが出来るので、ユーザにとって非常に利便性が高い。
【００２４】
第７発明に係るセキュリティシステムは、第２乃至第４発明の何れか一つに係るセキュリティシステムに於いて、第１通信手段は赤外線発光部であり、第２通信手段は赤外線受光部であることを特徴とする。
【００２５】
このセキュリティシステムによれば、携帯電話機とコンピュータとの通信を赤外線通信によって実現することが出来るので、赤外線通信が可能な範囲内に於いて携帯電話機とコンピュータの設置位置を調整することができ、ユーザにとって非常に利便性が高い。
【００２６】
第８発明に係るセキュリティシステムは、第２乃至第４発明の何れか一つに係るセキュリティシステムに於いて、第１乃至第２通信手段は、Bluetoothモジュールであることを
特徴とする。
【００２７】
このセキュリティシステムによれば、携帯電話機とコンピュータとの通信をBluetooth
通信で実現することが出来るので、Bluetooth通信が可能な範囲内に於いて、携帯電話機
とコンピュータの設置位置を用途に応じて適宜調整することができ、ユーザにとって非常に利便性が高い。
【００２８】
第９発明に係るセキュリティプログラムは、第１通信手段と、所定のデータを記憶する第１記憶手段と、第１通信手段を介して第１記憶手段に記憶された所定のデータを送受信させる第１制御手段と、を有する携帯電話機から、所定のデータを受け付ける装置としてコンピュータを機能させるセキュリティプログラムであって、第１通信手段と通信可能な第２通信手段と、第１通信手段を介して送信された第１記憶手段に記憶された所定のデータを記憶する第２記憶手段と、第２記憶手段に記憶された所定のデータと第１通信手段を介して新たに送信された第１記憶手段に記憶された所定のデータとを比較し、所定の割合以上一致する場合に第２記憶手段に記憶された所定のデータを更新して、所定のフォルダへのアクセスを可能とする第２制御手段として、コンピュータを機能させることを特徴とする。
【００２９】
このセキュリティプログラムによれば、携帯電話機と通信可能な既存のコンピュータにセキュリティプログラムをインストールすることによって、コンピュータの所定のフォルダへのアクセスを制限することが出来るので、非常に利便性が高く、汎用性に富んでいる。また、このセキュリティプログラムによれば、コンピュータに備えられた第２記憶手段に記憶された所定のデータと、携帯電話機から新たにコンピュータに出力された所定のデータを比較させ、これらのデータが所定の割合で一致した場合に、第２記憶手段に記憶された所定のデータが更新させるので、ユーザによるパスワード入力を必要とせずに、所定のフォルダへのアクセス制限を解除するための解除キーの役割を果たす所定のデータを自動更新させることが出来るので、ユーザにとって利便性が高いだけでなく、より強固なセキュリティを実現することが出来る。
【発明の効果】
【００３０】
本発明によれば、特別な装置を設けることなく、ユーザによるパスワード入力を必要とせずに、セキュリティの解除キーとなるデータが自動的に更新され、所定のフォルダへのアクセス制限を実行することが出来る。
【発明を実施するための最良の形態】
【００３１】
（１）第１実施形態
[構成]  
図１は、本実施形態に係るセキュリティシステム１に関する概略構成図である。セキュリティシステム１は、携帯電話機２、充電装置１１、コンピュータ１９を備えている。
【００３２】
携帯電話機２は、アンテナ３、無線部４、電源部５、メモリ６、操作部７、ＣＰＵ８、充電端子９、データ端子１０を備えている。アンテナ３は、通信網を介して電波による信号を送受信し、無線部４は、アンテナ３で受信された信号を復調するとともに、通信網を介して送信データを送信するために変調する。電源部５は、充電装置１１から供給される所定の電力を蓄積する充電池であり、携帯電話機２の各部に電源を供給する。メモリ６は、電話番号、電子メールの送受信データ、アドレスデータ等のデータを保存する記憶装置である。操作部７は、複数のキーを備えており、ユーザからの入力を受け付けて、ＣＰＵ８に出力する。充電端子９は、充電装置１１に備えられた充電端子１６と接続される端子であり、充電装置１１から供給される電力を電源部５に供給する。データ端子１０は、充電装置１１に備えられたデータ端子１７と接続される。ＣＰＵ８は、無線部４、電源部５、メモリ６を制御するとともに、充電装置１１及びコンピュータ１９と所定の信号を送受信する。
【００３３】
充電装置１１は、充電部１２、メモリ１３、操作部１４、ＣＰＵ１５、充電端子１６、データ端子１７、ＵＳＢポート１８を備えている。充電部１１は、電源ケーブル（図示せず）を介して商用電源に接続され、携帯電話機２が充電装置１１に接続された際に、携帯電話機２内の電源部５に電力を供給して充電を行う。メモリ１３は、携帯電話機２のＣＰＵ８から送信された所定のデータを記憶する。操作部１４は、複数のキーを備えており、ユーザからの入力を受け付け、ＣＰＵ１５に出力する。充電端子１６は、携帯電話機２に備えられた充電端子９と接続され、充電部１２からの電力を電源部５に供給する。データ端子１７は、携帯電話機２に備えられたデータ端子１０と接続される。ＵＳＢ端子１８は、コンピュータ１９に備えられたＵＳＢ端子２６と専用ケーブル（図示せず）を介して接続され、充電装置１１内のＣＰＵ１５とコンピュータ１９がデータの送受信を行う際に使用される。
【００３４】
コンピュータ１９は、操作部２０、表示部２１、タイマカウンタ２２、記憶装置２３、光ディスク記録再生装置２４、光ディスク記録媒体２４ａ、ＣＰＵ２５、ＵＳＢ端子２６を備えている。操作部２０は、複数の入力キーを備えており、ユーザからの入力を受け付けて、ＣＰＵ２５に出力する。表示部２１は、所定の画像を出力するディスプレイである。なお、表示部２１は、コンピュータ１９との一体型ではなく、ケーブルによってコンピュータ１９に接続される外付け型ディスプレイとしても良い。タイマカウンタ２２は、ＣＰＵ２５の制御によって所定の時間を計測する。記憶装置２３は、所定のデータを記憶する大容量記憶装置である。光ディスク記録再生装置２４は、光ディスク記録媒体２４ａが装着されると、該記録媒体に記録されているデータを読み込み、ＣＰＵ２５に出力するとともに、ＣＰＵ２５の制御によって、所定のデータを光ディスク記録媒体２４ａに記録させる。ＵＳＢ端子２６は、携帯電話機２のデータ端子１０と専用ケーブル（図示せず）を介して接続可能であり、充電装置１１に備えられたＵＳＢ端子１８と専用ケーブル（図示せず）を介して接続可能である。
【００３５】
[セキュリティ保持方法]  
図２は、本実施形態に係るセキュリティシステム１によるセキュリティ保持方法に関するフローチャートである。本実施形態に於いて、セキュリティ保持方法を実行可能なプログラム（以後、セキュリティプログラムと称す）は、光ディスク記録媒体２４ａに記録されており、光ディスク記録媒体２４ａに記録されたセキュリティプログラムを、光ディスク記録再生装置２４を介してコンピュータ１９にインストールすることによって使用可能な状態となる。コンピュータ１９にセキュリティプログラムがインストールされると、ユーザがアクセス制限を実行したい所定のフォルダ（以後、セキュリティフォルダと称す）へのアクセスが特定ユーザのみに許可されるようになる。なお、光ディスク記録媒体２４ａに記録されたセキュリティ保持方法に関するプログラムには、シリアル番号が付与されており、該シリアル番号の入力を行わない限り、インストールを実行することは出来ない。
【００３６】
ステップ１０１に於いて、セキュリティプログラムをインストール済みのコンピュータ１９が起動すると、該プログラムが自動的に起動する。そして、ステップ１０２に於いて、コンピュータ１９が携帯電話機２との接続を認識すると、ステップ１０３に於いて、携帯電話機２から所定の登録データがコンピュータ１９に出力され、接続時の日時に関するデータが記憶装置２３に記憶される。
【００３７】
なお、ステップ１０２に於ける携帯電話機２とコンピュータ１９との接続は、携帯電話機２とコンピュータ１９が直接ケーブルで接続される場合と、携帯電話機２とコンピュータ１９が充電装置１１を介してケーブルで接続される場合の何れの場合であっても良い。具体的には、携帯電話機２とコンピュータ１９が直接ケーブルで接続される場合、携帯電話機２に備えられたデータ端子１０とコンピュータ１９に備えられたＵＳＢ端子２６が専用ケーブル（図示せず）によって接続され、携帯電話機２とコンピュータ１９との間でデータの送受信が実行される。また、携帯電話機２とコンピュータ１９が充電装置１１を介してケーブルで接続される場合、携帯電話機２に設けられた充電端子９と充電装置１１に設けられた充電端子１６が接続され、携帯電話機２に設けられたデータ端子１０と充電装置１１に設けられたデータ端子１７が接続されることによって、携帯電話機２が充電装置１１に装着され、さらに、充電装置１１に設けられたＵＳＢ端子１８とコンピュータ１９に設けられたＵＳＢ端子２６とがＵＳＢケーブル（図示せず）によって接続され、充電装置１１を介して、携帯電話機２とコンピュータ１９との間でデータの送受信が実行される。また、充電装置１１を介して、携帯電話機２とコンピュータ１９が接続される場合には、充電装置１１に設けられた操作部１４のキー操作により、携帯電話機２とコンピュータ１９とのデータの送受信を切り換える構成としてもよい。
【００３８】
また、携帯電話機２からコンピュータ１９に出力される所定の登録データは、コンピュータ１７内のＣＰＵ２４の制御によって表示部２１に出力される設定画面（図示せず）に従って入力作業を行うことで適宜変更可能であり、本実施形態に於いては、携帯電話機２で使用される電話番号と、電子メールの送受信データ（送受信日時、送信相手、件名を含む）を登録データとする。登録データは、電話番号とメールの送受信データに限らず、アドレスデータやスケジュールデータ等のデータを使用しても良い。そして、コンピュータ１９内の記憶装置２３に記憶される登録データは、セキュリティプログラムがインストールされた時点で実行される初期設定に於いて、携帯電話機２から出力されるデータが初期データとして記憶装置２３に記憶され、後述の通り、自動的に随時変更されるものとする。
【００３９】
また、携帯電話機２とコンピュータ１９との接続日時については、携帯電話機２から接続時の日時に関するデータを取得してもよいし、コンピュータ１９内のカレンダクロック
（図示せず）等からデータを取得しても良い。
【００４０】
ステップ１０４に於いて、携帯電話機２から出力された電話番号と、コンピュータ１９内の記憶装置２３に記憶されている電話番号とが比較され、一致した場合には、ステップ１０５に移行する。反対に、不一致の場合には、ステップ１１３に移行し、セキュリティフォルダへのアクセスは拒否される。
【００４１】
なお、ステップ１１３に於いてアクセスが拒否された場合は、セキュリティフォルダにアクセスした時点で表示部２１にアクセスが拒否されたことを示す警告表示を出力する構成としても良いし、セキュリティフォルダへのアクセス前にセキュリティフォルダへのアクセスが不可能であることを示す警告表示を出力する構成としても良い。
【００４２】
ステップ１０５に於いて、コンピュータ１９内の記憶装置２３に記憶されている登録データの内、比較データ（本実実施形態に於いてはメールの送受信データ）が完全に一致した場合には、ステップ１０８に移行する。一方、コンピュータ１９内の記憶装置２３に記憶されている登録データの内、比較データが完全に一致しない場合、ステップ１０６に移行する。ステップ１０６に於いて、比較データが所定の割合以上一致した場合（本実施形態に於いては９０％以上）、ステップ１０７に移行する。反対に、ステップ１０６に於いて、比較データが所定の割合以上一致しない場合には、ステップ１１３に移行し、所定のフォルダへのアクセスは拒否される。ステップ１０７に於いて、携帯電話機２とコンピュータ１９が前回接続されてから、今回の接続まで所定期間内（本実施形態に於いては１週間以内）の場合、ステップ１０８に移行する。前回と今回の接続の間隔については、接続された日時に関するデータに基づいて、ＣＰＵ２５が所定の演算を実行することによって得ることが出来る。反対に、ステップ１０７に於いて、携帯電話機２とコンピュータ１９が前回接続されてから、今回の接続まで所定期間を超える場合には、ステップ１１３に移行し、所定のフォルダへのアクセスは拒否される。
【００４３】
なお、ステップ１０６に於いて比較データが一致する割合と、ステップ１０７に於いて携帯電話機２とコンピュータ１９が接続される日時の間隔は、ＣＰＵ２４の制御により表示部２１に出力される設定画面に従って入力作業を実行することによって、変更可能な構成とする。
【００４４】
ステップ１０８に於いて、コンピュータ１９内のＣＰＵ２４が、記憶装置２３に記憶されている携帯電話機２とコンピュータ１９が接続された日時、及び、登録データの内容を更新させる。但し、ステップ１０５に於いて、比較データが完全に一致している場合には、携帯電話機２とコンピュータ１９が接続された日時のみを更新すれば良い。そして、ステップ１０９に於いて、ＣＰＵ２４がセキュリティフォルダへのアクセス制限を解除、アクセス可能な状態とする。
【００４５】
ところで、携帯電話機２をコンピュータ１９に接続している間に、携帯電話機２への電話に応対する場合、携帯電話機２を使用して電話をかけなければならない場合等、携帯電話機２とコンピュータ１９との接続を解除しなければならない状況が生じる可能性がある。ステップ１１０乃至１１３は、こうした状況に対応するためのステップである。ステップ１１０に於いて、携帯電話機２とコンピュータ１９との接続が解除された場合、ステップ１１１に移行する。反対に、携帯電話機２とコンピュータ１９との接続が解除されていない場合には、ステップ１１０を繰り返す。ステップ１１１に於いて、ＣＰＵ２５がタイマカウンタ２２を制御して所定時間（本実施形態に於いては３０分）を計測させ、所定時間経過した場合、ステップ１１３に移行し、アクセスが拒否される。反対に、ステップ１１１に於いて、所定時間が経過していない場合、ステップ１１２に移行する。ステップ１１２に於いて、携帯電話機２がコンピュータ１９と再接続された場合には、ステップ１０
９に戻る。反対に、ステップ１１２に於いて、携帯電話機２がコンピュータ１９に再接続されていない場合には、ステップ１１１に戻る。
【００４６】
また、携帯電話機２を紛失する等して、コンピュータ１９のセキュリティフォルダへのアクセスが不可能な状況に於いては、セキュリティプログラムの再インストールを実行すれば良い。前述の通り、セキュリティプログラムには個別のシリアル番号が付与されているので、シリアル番号を取得しない限り、該プログラムのインストールを制限することが出来る。
【００４７】
[作用効果]
本実施形態に係るセキュリティシステム１は、携帯電話機２と、コンピュータ１９と、データケーブルよって構成されているので、特別な装置を新たに追加することなく、セキュリティフォルダへのアクセス制限を実行するセキュリティシステム１を提供することが出来る。
【００４８】
また、本実施形態に係るセキュリティシステム１によれば、携帯電話機２の電話番号と、コンピュータ１９の記憶装置２３に記憶された電話番号が一致しない場合には、セキュリティフォルダへのアクセスを許可しないので、所定の電話番号で通話可能な携帯電話機２以外を使用した場合には、セキュリティフォルダへのアクセスを制限することが出来る。
【００４９】
また、本実施形態に係るセキュリティシステム１によれば、コンピュータ１９内の記憶装置２３に記憶された所定のデータと、携帯電話機２から新たにコンピュータ１９に出力された所定のデータ（本実施形態に於いては電子メールの送受信データ）が比較され、これらのデータが所定の割合以上（本実施形態に於いては９０％以上）で一致した場合に、記憶装置２３に記憶された所定のデータが更新される。したがって、ユーザによるパスワード入力を実行することなく、セキュリティフォルダへのアクセス制限を解除するための解除キーの役割を果たす所定のデータを自動更新することが出来るので、ユーザにとって利便性が高いだけでなく、より強固なセキュリティを実現することが出来る。
【００５０】
また、本実施形態に係るセキュリティシステム１によれば、携帯電話機２とコンピュータ１９が接続され、携帯電話機２からコンピュータ１９に所定のデータが送信された前回の日時と今回の日時を比較し、前回と今回のデータ送信時の時間差が１週間以内でなければセキュリティフォルダへのアクセスを許可しない。したがって、定期的に携帯電話機２とコンピュータ１９が接続され、携帯電話機２からコンピュータ１９に所定のデータを送信しなければならないので、セキュリティフォルダへのアクセス制限を解除するための解除キーの役割を果たす所定のデータを定期的に更新することができ、セキュリティを強固にすることが出来る。
【００５１】
また、本実施形態に係るセキュリティシステム１によれば、一旦、携帯電話機２とコンピュータ１９が接続されて、セキュリティフォルダへのアクセスが可能となった状況に於いても、携帯電話機２とコンピュータ１９との接続が解除されると、所定時間経過後にセキュリティフォルダへのアクセスを制限することが出来るので、携帯電話機２とコンピュータ１９との接続解除後に於ける他のユーザによるセキュリティフォルダへのアクセスを制限することが出来る。なお、携帯電話機２とコンピュータ１９との接続が解除されたからの経過時間を短く設定する程、セキュリティをより強固にすることが出来る。
【００５２】
また、本実施形態に係るセキュリティシステム１によれば、充電装置１１とコンピュータ１９とがデータケーブルによって接続されており、携帯電話機２を充電装置１１に装着した場合、携帯電話機２とコンピュータ１９の通信、及び、携帯電話機２の充電という、
２つの機能を同時に実現することが出来るので、ユーザにとって非常に利便性が高い。
【００５３】
また、本実施形態に係るセキュリティプログラムによれば、携帯電話機２と通信可能なコンピュータ１９にセキュリティプログラムをインストールすることによって、コンピュータ１９の所定のフォルダへのアクセスを制限することが出来るので、非常に利便性が高く、汎用性に富んでいる。また、携帯電話機２の紛失等により、セキュリティフォルダへのアクセスが不可能になった場合に於いては、コンピュータ１９に該セキュリティプログラムを再インストールすることが出来る。
（２）第２実施形態
[構成]
図３は、本実施形態に係るセキュリティシステム１に関する概略構成図である。なお、図３に於いて、前述の第１実施形態に係るセキュリティシステム１の構成（図１参照）と同一部分については同一符号を付す。
【００５４】
本実施形態に係るセキュリティシステム１は、携帯電話機２と、コンピュータ１９とを備えている。携帯電話機２は、アンテナ部３、無線部４、電源部５、メモリ６、操作部７、ＣＰＵ８、赤外線発行部２７を備えている。なお、アンテナ部３、無線部４、電源部５、メモリ６、操作部７、ＣＰＵ８については、前述の第１実施形態に係るセキュリティシステム１の携帯電話機２の構成と同一であるので、説明を省略する。赤外線発光部２７は、ＣＰＵ８からの信号をコンピュータ１９に設けられた赤外線受光部２８に出力する。
【００５５】
コンピュータ１９は、操作部２０、表示部２１、タイマカウンタ２２、記憶装置２３、光ディスク記録再生装置２４、光ディスク記録媒体２４ａ、赤外線受光部２８を備えている。なお、操作部２０、表示部２１、タイマカウンタ２２、記憶装置２３、光ディスク記録再生装置２４、光ディスク記録媒体２４ａについては、前述の第１実施形態に係るセキュリティシステム１のコンピュータ１９の構成と同一であるので、説明を省略する。赤外線受光部２８は、携帯電話機２に備えられた赤外線発光部２７から出力された信号を受け付け、ＣＰＵ２５に出力する。
【００５６】
[セキュリティ保持方法]
本実施形態に係るセキュリティシステム１によるセキュリティ保持方法は、前述の第１実施形態に係るセキュリティシステム１によるセキュリティ保持方法（図２参照）と略同一である。したがって、ここでは図２を参照して、異なる部分についてのみ説明する。
【００５７】
ステップ１０２に於ける携帯電話機２とコンピュータ１９との接続は、携帯電話機２に設けられた赤外線発光部２７と、コンピュータ１９に設けられた赤外線受光部２８が赤外線通信可能な状態にあることを意味する。したがって、ステップ１１０に於ける携帯電話機２とコンピュータ１９との接続解除は、携帯電話機２がコンピュータ１９と赤外線通信不可能な状態であることを意味する。
【００５８】
[作用効果]
本実施形態に係るセキュリティシステム１は、携帯電話機２とコンピュータ１９によって構成されているので、特別な装置を新たに追加することなく、セキュリティフォルダへのアクセス制限を実行するセキュリティシステム１を提供することが出来る。
【００５９】
また、本実施形態に係るセキュリティシステム１によれば、携帯電話機２の電話番号と、コンピュータ１９の記憶装置２３に記憶された電話番号が一致しない場合には、セキュリティフォルダへのアクセスを許可しないので、所定の電話番号で通話可能な携帯電話機２以外を使用した場合には、セキュリティフォルダへのアクセスを制限することが出来る
。
【００６０】
また、本実施形態に係るセキュリティシステム１によれば、コンピュータ１９内の記憶装置２３に記憶された所定のデータと、携帯電話機２から新たにコンピュータ１９に出力された所定のデータ（本実施形態に於いては電子メールの送受信データ）が比較され、これらのデータが所定の割合以上（本実施形態に於いては９０％以上）で一致した場合に、記憶装置２３に記憶された所定のデータが更新される。したがって、ユーザによるパスワード入力を実行することなく、セキュリティフォルダへのアクセス制限を解除するための解除キーの役割を果たす所定のデータを自動更新することが出来るので、ユーザにとって利便性が高いだけでなく、より強固なセキュリティを実現することが出来る。
【００６１】
また、本実施形態に係るセキュリティシステム１によれば、携帯電話機２とコンピュータ１９が接続され、携帯電話機２からコンピュータ１９に所定のデータが送信された前回の日時と今回の日時を比較し、前回と今回のデータ送信時の時間差が１週間以内でなければセキュリティフォルダへのアクセスを許可しない。したがって、定期的に携帯電話機２とコンピュータ１９が接続され、携帯電話機２からコンピュータ１９に所定のデータを送信しなければならないので、セキュリティフォルダへのアクセス制限を解除するための解除キーの役割を果たす所定のデータを定期的に更新することが出来る。
【００６２】
また、本実施形態に係るセキュリティシステム１によれば、一旦、携帯電話機２とコンピュータ１９が接続されて、セキュリティフォルダへのアクセスが可能となった状況に於いても、携帯電話機２とコンピュータ１９との接続が解除されると、所定時間経過後にセキュリティフォルダへのアクセスを制限することが出来るので、携帯電話機２とコンピュータ１９との接続解除後に於ける他のユーザによるセキュリティフォルダへのアクセスを制限することが出来る。
【００６３】
また、本実施形態に係るセキュリティシステム１によれば、携帯電話機２とコンピュータ１９との通信を赤外線通信によって実現することが出来るので、赤外線通信が可能な範囲内に於いて携帯電話機２とコンピュータ１９の設置位置を調整することができ、ユーザにとって非常に利便性が高い。
【００６４】
また、本実施形態に係るセキュリティプログラムによれば、携帯電話機２と通信可能なコンピュータ１９にセキュリティプログラムをインストールすることによって、コンピュータ１９の所定のフォルダへのアクセスを制限することが出来るので、非常に利便性が高く、汎用性に富んでいる。また、携帯電話機２の紛失等により、セキュリティフォルダへのアクセスが不可能になった場合に於いては、コンピュータ１９に該セキュリティプログラムを再インストールすることが出来る。
（３）第３実施形態
[構成]
図４は、本実施形態に係るセキュリティシステム１に関する概略構成図である。なお、図４に於いて、前述の第１実施形態に係るセキュリティシステム１の構成（図１参照）と同一部分については同一符号を付す。
【００６５】
本実施形態に係るセキュリティシステム１は、携帯電話機２と、コンピュータ１９とを備えている。携帯電話機２は、アンテナ部３、無線部４、電源部５、メモリ６、操作部７、ＣＰＵ８、アンテナ部２９，Bluetoothモジュール３０を備えている。なお、アンテナ
部３、無線部４、電源部５、メモリ６、操作部７、ＣＰＵ８については、前述の第１実施形態に係るセキュリティシステム１の携帯電話機２の構成と同一であるので、説明を省略する。Bluetoothモジュール３０は、周波数を１秒間に約１６００回切り換える周波数ホ
ッピング方式を用いて、２．４ＧＨｚの周波数帯で無線通信を行うＲＦ部（図示せず）と、通信制御を行うベースバンド部（図示せず）を有する。Bluetoothモジュール３０はア
ンテナ部２９を介して信号を送信する。ＣＰＵ８は、メモリ６に記憶された所定のデータをBluetoothモジュール３０に出力し、Bluetoothモジュール３０を制御して、コンピュータ１９に送信させる。
【００６６】
コンピュータ１９は、操作部２０、表示部２１、タイマカウンタ２２、記憶装置２３、光ディスク記録再生装置２４、光ディスク記録媒体２４ａ、ＣＰＵ２５、アンテナ部３１、Bluetoothモジュール３２を備えている。なお、操作部２０、表示部２１、タイマカウ
ンタ２２、記憶装置２３、光ディスク記録再生装置２４、光ディスク記録媒体２４ａ、ＣＰＵ２５については、前述の第１実施形態に係るセキュリティシステム１のコンピュータ１９の構成と同一であるので、説明を省略する。アンテナ部３１はBluetoothモジュール
３１に接続されており、携帯電話機２内のBluetoothモジュール３０からアンテナ部２９
を介して送信された無線信号を受信し、Bluetoothモジュール３２に出力する。Bluetoothモジュール３２はアンテナ部３１からの信号に所定の処理を施してデジタル信号化し、ＣＰＵ２５に出力する。
【００６７】
[セキュリティ保持方法]  
本実施形態に係るセキュリティシステム１によるセキュリティ保持方法は、前述の第１実施形態に係るセキュリティシステム１によるセキュリティ保持方法（図２参照）と略同一である。したがって、ここでは図２を参照して、異なる部分についてのみ説明する。
【００６８】
ステップ１０２に於ける携帯電話機２とコンピュータ１９との接続は、携帯電話機２に設けられたアンテナ部２９とBluetoothモジュール３０が、コンピュータ１９に設けられ
たアンテナ部３１とBluetoothモジュール３１と無線通信可能な場所に位置していること
を意味する。したがって、ステップ１１０に於ける携帯電話機２とコンピュータ１９の接続解除は、携帯電話機２がコンピュータ１９とBluetoothを使用して無線通信不可能な状
態にあることを意味する。
【００６９】
[作用効果]
本実施形態に係るセキュリティシステム１は、携帯電話機２とコンピュータ１９によって構成されているので、特別な装置を新たに追加することなく、セキュリティフォルダへのアクセス制限を実行するセキュリティシステム１を提供することが出来る。
【００７０】
また、本実施形態に係るセキュリティシステム１によれば、携帯電話機２の電話番号と、コンピュータ１９の記憶装置２３に記憶された電話番号が一致しない場合には、セキュリティフォルダへのアクセスを許可しないので、所定の電話番号で通話可能な携帯電話機２以外を使用した場合には、セキュリティフォルダへのアクセスを制限することが出来る。
【００７１】
また、本実施形態に係るセキュリティシステム１によれば、コンピュータ１９内の記憶装置２３に記憶された所定のデータと、携帯電話機２から新たにコンピュータ１９に出力された所定のデータ（本実施形態に於いては電子メールの送受信データ）が比較され、これらのデータが所定の割合以上（本実施形態に於いては９０％以上）で一致した場合に、記憶装置２３に記憶された所定のデータが更新される。したがって、ユーザによるパスワード入力を実行することなく、セキュリティフォルダへのアクセス制限を解除するための解除キーの役割を果たす所定のデータを自動更新することが出来るので、ユーザにとって利便性が高いだけでなく、より強固なセキュリティを実現することが出来る。
【００７２】
また、本実施形態に係るセキュリティシステム１によれば、携帯電話機２とコンピュー
タ１９が接続され、携帯電話機２からコンピュータ１９に所定のデータが送信された前回の日時と今回の日時を比較し、前回と今回のデータ送信時の時間差が１週間以内でなければセキュリティフォルダへのアクセスを許可しない。したがって、定期的に携帯電話機２とコンピュータ１９が接続され、携帯電話機２からコンピュータ１９に所定のデータを送信しなければならないので、セキュリティフォルダへのアクセス制限を解除するための解除キーの役割を果たす所定のデータを定期的に更新することが出来る。
【００７３】
また、本実施形態に係るセキュリティシステム１によれば、一旦、携帯電話機２とコンピュータ１９が接続されて、セキュリティフォルダへのアクセスが可能となった状況に於いても、携帯電話機２とコンピュータ１９との接続が解除されると、所定時間経過後にセキュリティフォルダへのアクセスを制限することが出来るので、携帯電話機２とコンピュータ１９との接続解除後に於ける他のユーザによるセキュリティフォルダへのアクセスを制限することが出来る。
【００７４】
また、本実施形態に係るセキュリティシステム１によれば、携帯電話機２とコンピュータ１９との通信をBluetooth通信で実現することが出来るので、Bluetooth通信が可能な範囲内に於いて、携帯電話機２とコンピュータ１９の設置位置を用途に応じて適宜調整することができ、ユーザにとって非常に利便性が高い。
【００７５】
また、本実施形態に係るセキュリティプログラムによれば、携帯電話機２と通信可能なコンピュータ１９にセキュリティプログラムをインストールすることによって、コンピュータ１９の所定のフォルダへのアクセスを制限することが出来るので、非常に利便性が高く、汎用性に富んでいる。また、携帯電話機２の紛失等により、セキュリティフォルダへのアクセスが不可能になった場合に於いては、コンピュータ１９に該セキュリティプログラムを再インストールすることが出来る。
【図面の簡単な説明】
【００７６】
【図１】第１実施形態に係るセキュリティシステム１の概略構成図
【図２】第１実施形態に係るセキュリティシステム１に関するフローチャート
【図３】第２実施形態に係るセキュリティシステム１の概略構成図
【図４】第３実施形態に係るセキュリティシステム１の概略構成図
【符号の説明】
【００７７】
１      セキュリティシステム
２      携帯電話機
３      アンテナ部
４      無線部
５      電源部
６      メモリ
７      操作部
８      ＣＰＵ
９      充電端子
１０    データ端子
１１    充電装置
１２    充電部  
１３    メモリ
１４    操作部
１５    ＣＰＵ
１６    充電端子
１７    データ端子
１８    ＵＳＢ端子
１９    コンピュータ
２０    操作部
２１    表示部
２２    タイマカウンタ  
２３    記憶装置
２４    光ディスク記録再生装置
２４ａ  光ディスク記録媒体
２５    ＣＰＵ
２６    ＵＳＢ端子
２７    赤外線発光部
２８    赤外線受光部
２９    アンテナ部
３０    Bluetoothモジュール
３１    アンテナ部
３２    Bluetoothモジュール
【図１】
2006135537.tif 000003
【図２】
2006135537.tif 000004
【図３】
2006135537.tif 000005
【図４】
2006135537.tif 000006